(57)【要約】【課題】浄水の使用頻度が高い場合においても、原水を利用した抗菌（雑菌繁殖防止）効果が確実に期待できる複合単水栓を提供する。【解決手段】原水と浄水とを一体の水栓から吐出可能とし、原水の吐水、浄水の吐水、及び、止水を、単独の切換装置により切換可能に構成した複合単水栓２において、切換装置の切換操作を、該切換装置に付設される単独の切換操作レバー２ｂの位置変化により行う構成とし、該位置変化の範囲を止水位置Ｎと浄水位置Ｃとを両端とする範囲とすると共に、止水位置Ｎと浄水位置Ｃとの間に原水位置Ｐを配置し、複合単水栓２内に形成される水路において、浄水の通過経路を、原水の通過経路と重複させた。【選択図】  図２
2004278670.tif 000002
【特許請求の範囲】
【請求項１】
原水と浄水とを一体の水栓から吐出可能とし、原水の吐水、浄水の吐水、及び、止水を、単独の切換装置により切換可能に構成した複合単水栓において、
切換装置の切換操作を、該切換装置に付設される単独の操作手段の位置変化により行う構成とし、該位置変化の範囲を止水位置と浄水位置とを両端とする範囲とすると共に、止水位置と浄水位置との間に原水位置を配置した、
ことを特徴とする複合単水栓。
【請求項２】
操作手段を回動式のレバーで構成すると共に、該レバーの回動範囲を３６０度より小さくした、
ことを特徴とする請求項１に記載の複合単水栓。
【請求項３】
複合単水栓内に形成される水路において、浄水の通過経路と、原水の通過経路の一部とを同一の経路とした、
ことを特徴とする請求項１または請求項２に記載の複合単水栓。
【発明の詳細な説明】
【０００１】
【発明の属する技術分野】
本発明は、原水と浄水とを一体の水栓から吐出可能とし、原水の吐水、浄水の吐水、及び、止水を、単独の切換装置により切換可能に構成した複合単水栓に関する。
【０００２】
従来から、原水として、水又は湯の状態の水道水を吐出するための単水栓は知られており、該単水栓の水回路に浄水器を付設して、原水に加えて浄水をも給水可能に構成する場合があった。
そして、浄水を給水する場合には、前記単水栓とは別に浄水専用の水栓を設けたり、一つの単水栓にて原水の吐水、及び、浄水の吐水を可能に構成したりしていた。
このように、原水と浄水とを同一の単水栓から吐出するように構成した水栓の技術の一例として、例えば、特許文献１に開示される技術がある。
【０００３】
特許文献１に開示される水栓では、原水の吐水と浄水の吐水とを切り換える切換弁が同一の切換弁により行われるものとなっており、それぞれを別の切換弁により切り換える構成の水栓と比べて、操作が容易であり、誤操作することもないものとなっている。
また、浄水器の浄水出口部から浄水の吐水口までの間の通水路内に、塩素を含む原水を通過させる構成とすることで、この通水路内での雑菌の繁殖等による二次汚染を防止する構成としていた。浄水は使用頻度が低く、浄水器により浄化された浄水は、水道水中に含まれている残留塩素が除去された状態にあるので、通水路内に長時間滞留した場合には残留塩素による抗菌（雑菌繁殖防止）作用が期待できないが、この対策を施したものである。
【０００４】
【特許文献１】
特開２０００−１１０９５５号公報
【０００５】
【発明が解決しようとする課題】
前記特許文献１に示される水栓は、浄水は使用頻度が低いことを仮定したものである。
ところが、水栓の用途によっては、浄水の使用頻度が高く、原水を利用することが少ない場合も考えられる。このような場合は、原水（水道水）中に含まれる塩素による抗菌（雑菌繁殖防止）効果を、必ずしも期待することができなくなってしまう。
そこで、本発明では、前記複合単水栓において、浄水の使用頻度が高い場合においても、原水を利用した抗菌（雑菌繁殖防止）効果が確実に期待できる複合単水栓を提供する。
【０００６】
【課題を解決するための手段】
本発明の解決しようとする課題は以上の如くであり、次に該課題を解決するための手段を説明する。
即ち、請求項１においては、原水と浄水とを一体の水栓から吐出可能とし、原水の吐水、浄水の吐水、及び、止水を、単独の切換装置により切換可能に構成した複合単水栓において、
切換装置の切換操作を、該切換装置に付設される単独の操作手段の位置変化により行う構成とし、該位置変化の範囲を止水位置と浄水位置とを両端とする範囲とすると共に、止水位置と浄水位置との間に原水位置を配置した、ものである。
【０００７】
請求項２においては、操作手段を回動式のレバーで構成すると共に、該レバーの回動範囲を３６０度より小さくした、ものである。
【０００８】
請求項３においては、複合単水栓内に形成される水路において、浄水の通過経路と、原水の通過経路の一部とを同一の経路とした、ものである。
【０００９】
【発明の実施の形態】
本発明の複合単水栓の一実施の形態について、図面を用いて説明する。
図１に示すように、一実施の形態である複合単水栓２は、キッチン等のカウンター天板に取付られるものである。そして、図２に示すように、水栓本体２０に設けられた切換操作レバー２ｂを回動操作することにより、原水と浄水との何れか一方を、吐水パイプ２ｃを通じて吐水口２ｄから選択的に吐出するように構成している。
図２において、切換操作レバー２ｂを水平面と平行にした止水位置Ｎが、複合単水栓２における止水時とされる。切換操作レバー２ｂを止水位置Ｎより３０度だけ上方へ回動した位置が原水位置Ｐであり、この位置とした時が原水の吐出時である。また、切換操作レバー２ｂを止水位置Ｎより９０度だけ上方へ回動した位置が浄水位置Ｃであり、この位置とした時が浄水の吐出時である。
【００１０】
図３に示すように、複合単水栓２内には下端部から、原水としての水道水を複合単水栓２に供給する原水用導水管３、下端が浄水器６の入口部６ａに連結された浄化用水供給管３８、下端が浄水器６の出口部６ｂに連結された浄水用導水管４、が嵌入している。
【００１１】
また、図１に示すように、原水用導水管３の下端部には逆止弁７及び止水栓５を介して給水管（水道管）に接続されており、給水管からの原水（水道水）が、原水用導水管３を通じて複合単水栓２に供給されている。
原水（水道水）のまま、吐水口２ｄから吐出させる場合は、複合単水栓２内に供給された原水を、複合単水栓２内を経由して、そのまま吐出口２ｄから吐出される。
浄水を吐水口２ｄから吐出させる場合は、まず、複合単水栓２内に供給された原水を、浄水器６への行き経路である浄化用水供給管８を通じて浄水器６へ供給する。そして、浄化用水供給管８を通じて浄水器６へ送出された原水は、該浄水器６で浄化された後に浄水として浄水用導水管４を通じて複合単水栓２へ送出され、吐出口２ｄから吐出される。
【００１２】
複合単水栓３２側へ原水もしくは浄水を供給する配管には、逆止弁が設けられている。原水用導水管３には逆止弁７が設けられ、浄水用導水管４には逆止弁１４が設けられている。そして、原水もしくは浄水が、逆流しないようにしている。なお、浄化用水供給管８にも逆止弁を設ける構成としても良い。
【００１３】
このように、複合単水栓２には、原水と浄水とが供給されており、前記切換操作レバー２ｂを回動操作することで、原水と浄水との何れか一方を、吐水口２ｄから選択的に吐出するように構成している。
なお、原水用導水管３を通じて複合単水栓２へ供給される原水としての水道水は、水道管等からそのまま供給された場合には水として吐水口２ｄから吐出され、途中で給湯器等により加温されて供給された場合には湯として吐水口２ｄから吐出されるものである。
また、浄水器は湯（加温した原水）に対応していない構成のものが一般であるため、複合単水栓３２における切換で、浄水器６に湯を通過させて浄化させることは行わない。もちろん、湯に対応した構成の浄水器を用いる場合は、該浄水器に原水を加温して生成した湯を通過させて、浄化を行うようにしても良い。
【００１４】
次に、複合単水栓２の原水の吐水、浄水の吐水、及び、止水を切り換える、切換装置について説明する。
図４、図５に示すように、水栓本体２０内は大きく分けて、給水流路１１、吐水流路１２、切換流路１３の三部分に区画されている。ここで、給水流路１１には、複合単水栓２に前記原水用導水管３が連通接続され、吐水流路１２には、前記浄水用導水管４が接続されると共に、吐出口２ｄを先端に設ける吐水パイプ２ｃが接続されている。切換流路１３には、切換弁１５が配置されると共に、前記浄化用水導水管８が連通接続されている。
また、給水流路１１と切換流路１３とは連通孔２０ａにより連通接続され、切換流路１３と吐水流路１２とは連通孔２０ｂにより連通接続されている。そして、切換流路１３においては、詳しくは後述する切換弁４５の切換えにより、連通孔２０ａと連通孔２０ｂと浄化用水導水管８との連通および遮断が切換えられるものとなっている。
【００１５】
ここでまず、切換弁４５の切換えによる水路構成の変化と、その作用と、について説明する。なお、切換流路１３における切換弁４５の切換え構成については、詳しくは後述する。
切換流路１３において、連通孔２０ａと連通孔２０ｂとが連通すると、原水が複合単水栓２より吐出されることになる。つまり、原水用導水管３からの原水が給水流路１１、連通孔２０ａを経て切換流路１３、連通孔２０ｂを経て吐出流路１２、そして、吐出パイプ２ｃを通じて吐出口２ｄより吐出される。これが、複合単水栓２における原水吐出時である。
また、切換流路１３において、連通孔２０ａと浄化用水導水管８とが連通すると、浄水が複合単水栓２より吐出されるものとなる。つまり、まず、原水用導水管３からの原水が給水流路１１、連通孔２０ａを経て切換流路１３、浄化用水導水管８、浄水器６にまで供給される。次いで、浄水器６で原水が浄化されて生成した浄水が、浄水用導水管４、吐出流路１２、そして、吐出パイプ２ｃを通じて吐出口２ｄより吐出される。これが、複合単水栓２における浄水吐出時である。さらに、切換流路１３において、連通孔２０ａ・２０ｂ、浄化用水導水管８間の連通をすべて遮断すると、原水流路１１に供給された原水は、切換流路１３より他に流れることが無く、吐出口２ｄからの原水および浄水の吐出が停止される。これが、複合単水栓２における止水時である。
【００１６】
切換弁１５による水路切換え構成について説明する。
図６（ａ）に示すように、切換弁１５は円筒状の外形をしており、切換流路１３内で水栓本体２０に固設される弁軸受け２１・２２内に、回動自在に設けられている。弁軸受け２１・２２は、前記軸方向Ａに沿って配置され、弁軸受け２１に対して弁軸受け２２が切換操作レバー２ｂ側に配置される。
また、切換弁１５は、切換弁軸２５が前記切換操作レバー２ａにビス１６を介して固設されており、前記切換操作レバー２ａの回動操作により、切換弁１５が回動されるものとなっている。切換弁軸２５の後部（切換操作レバー２ｂ側の部分）は、弁軸受け２１・２２にシール部材を介して枢支されており、水密性が保たれている。
弁軸受け２１・２２は、切換流路１３の内部を区画して、弁軸受け２１・２２の内外で切換流路１３を分割している。ここで、弁軸受け２１には、弁軸受け２１の内外を連通する連通孔２１ａが形成されており、弁軸受け２１の内部と切換流路１３に接続される浄化用水導水管８とが、切換弁１５の回動により連通可能となっている。この連通は、切換弁１５を浄水位置Ｃとしたときに実現される。また、切換弁軸２５の先端部には切欠部２５ａが形成されており、該切欠部２５ａにより弁軸受け２１の内部に、連通孔２１ａと連通可能な水路が形成されるものとなっている。連通孔２１ａと切欠部２５ａとの連通も、切換弁１５の回動位置によるものであり、切換弁１５を浄水位置Ｃとしたときに実現されるものである。
また、前記連通孔２０ａ・２０ｂは、切換流路１３において、弁軸受け２１の内部に開口しており、切換弁１５の回動により連通可能となっている。この連通は、切換弁１５を原水位置Ｃとしたときに実現されるものである。
【００１７】
切換弁１５の先端側（反切換操作レバー２ａ側）には、円柱（円盤）状の可動プレート１７が固設されている。
図７に示すように、可動プレート１７には、切換弁１５の軸方向Ａで可動プレート１７を貫通する貫通孔１７ａと、同じく前記軸方向Ａに沿って形成されるが貫通はしていない連通凹部１７ｂと、が形成されている。
本実施の形態では、貫通孔１７ａおよび連通凹部１７ｂは、切換弁軸２５の軸心を中心とする扇形に形成される。該軸心に対する上側（図７等中左側）を０度とすると、貫通孔１７ａは左回り１２０度に位置し、連通凹部１７ｂは右回り９０度に位置する。なお、前記軸心に対する上側とは、複合単水栓２の上方（図６（ａ）の紙面に垂直な上方）でもある。
そして、可動プレート１７は切換弁１５と一体となって回動して、貫通孔１７ａおよび凹部１７ｂが切換弁１５の軸回りに回動し、切換流路１３内での水路形成に作用する。
また、可動プレート１７には、軸方向Ａに沿って、一対の取付凹部１７ｃ・１７ｃが形成されており、該取付凹部１７ｃ・１７ｃは切換弁軸２５の先端（反切換操作レバー２ａ側）に形成される突出部と係合して、可動プレート１７が切換弁軸２５に固設される構成である。
さらに、切換弁軸２５の先端部に形成される前記切欠部２５ａは、軸方向Ａにおいて、貫通孔１７ａと重複しており、貫通孔１７ａと切欠部２５ａとを介して水路の形成が可能となっている。特に、切換弁１５の回動位置を浄水位置Ｃとした際に、貫通孔１７ａと切欠部２５ａとを通過する水路が形成される。
【００１８】
切換弁１５の軸方向Ａで、可動プレート１７の前側（反切換操作レバー２ａ側）には、固定プレート１９が配置されている。固定プレート１９は、弁軸受け２１に固設されるものとなっている。
図８に示すように、固定プレート１９には、軸方向Ａに沿って、固定プレート１９を貫通する三つの貫通孔１９ａ・１９ｂ・１９ｃが、形成されている。
本実施の形態では、貫通孔１９ａ・１９ｂ・１９ｃはいずれも、切換弁軸２５の軸心を中心とする扇形に形成される。該軸心に対する上側（図８等中左側）を０度とすると、貫通孔１９ａは前記軸心に対して左回り３０度に位置し、貫通孔１９ｂは右回り７５度に位置し、貫通孔１９ａは右回り１６５度に位置する。
【００１９】
固定プレート１９の前側（反切換操作レバー２ａ側）には、パッキン２３が配置されている。パッキン２３は、弁軸受け２１に固設されるものとなっている。図９に示すように、パッキン２３は、切換弁軸２５の軸心を中心とする環状部２３ａと、環状部２３ａの内部を仕切る仕切り部２３ｂと、から構成されている。パッキン２３の仕切り部２３ｂは、切換流路１３内において、第一には、前記連通孔２０ａ・２０ｂ間の連通を遮断するものである。
なお、連通孔２０ａ・２０ｂ間の連通は、パッキン２３内においては遮断されるが、可動プレート１７（切換弁１５）の回動位置によっては、弁部２６において遮断が解除されて、連通することがある（後述）。
加えて、パッキン２３の仕切り部２３ｂは、第二には、貫通孔１９ａ・１９ｃと、貫通孔１９ｂとの間の連通を遮断するものである。そして、常に、貫通孔１９ａ・１９ｃは連通孔２０ａと連通し、貫通孔１９ｂは連通孔２０ｂと連通するものとなっている。
なお、可動プレート１７（切換弁１５）の回動位置によっては、貫通孔１９ｂ・１９ｃ間の遮断が解除されて、連通孔２０ａ・２０ｂ間が連通することがある（後述）。
【００２０】
可動プレート１７および固定プレート１９は、複合単水栓２における弁部２６を構成しており、固定の固定プレート１９に対して、可動プレート１７の回動位置を変化させることで、弁部２６の開閉が行われるものとなっている。
【００２１】
可動プレート１７および固定プレート１９の素材は、本実施の形態では、セラミック製とされている。また、パッキン２３はゴム製とされて、パッキン２３の両側に配置される固定プレート１９および切換流路１３の（反切換レバー２ｂ側の）内壁との間で、水密性が保たれるようにしている。
【００２２】
複合単水栓２における止水時について、図１０（ａ）、図１１を用いて説明する。
図１０（ａ）に示される弁部２６は、切換操作レバー２ｂを水平な状態として、切換弁１５を止水位置Ｎとした止水時における状態のものである。このとき、貫通孔１７ａは、軸方向Ａより見て、貫通孔１９ａ・１９ｂ・１９ｃのいずれとも重複しておらず、貫通孔１７ａの部位では弁部２６は閉じられている。
また、連通凹部１７ｂが貫通孔１９ｂとのみ重複しているが、連通凹部１７ｂは可動プレート１７を貫通する孔ではないので、この部位でも弁部２６は閉じられている。
このため、図１１に示すように、第一には、弁部２６により、給水流路１１と浄水用水導水管８との間で、切換流路１３は分断されているので、給水流路１１からの原水が、浄化用水導水管８側へは供給されない。第二には、連通孔２０ａ・２０ｂ間の連通が、弁部２６により遮断され、給水流路１１からの原水が吐出流路１２へは供給されない。
したがって、切換弁１５を止水位置Ｃとした状態では、吐出口２ｄから原水および浄水のいずれも吐出されることがない。
【００２３】
複合単水栓２における原水吐出時について、図１０（ｂ）、図１２を用いて説明する。
図１０（ｂ）に示される弁部２６は、切換操作レバー２ｂを止水位置Ｎより３０度上方に回動して、切換弁１５を原水位置Ｐとした原水吐出時における状態のものである。
このとき、貫通孔１７ａは、軸方向Ａより見て、貫通孔１９ａ・１９ｂ・１９ｃのいずれとも重複しておらず、貫通孔１７ａの部位では弁部２６は閉じられている。
一方、連通凹部１７ｂは、貫通孔１９ｂ・１９ｃと同時に重複している。したがって、このとき、貫通孔１９ｂから連通凹部１７ｂを介して貫通孔１９ｃへ、水路が形成されることになる。ここで、貫通孔１９ｂ・１９ｃ間は、図９に示すように、パッキン２３では仕切り部２３ｂにより遮断されているが、切換弁１５を原水位置Ｐとしたときには、弁部２６を介して、連通が実現される。
したがって、図１２に示すように、切換弁１５を原水位置Ｐとした状態では、給水流路１１中の原水が、連通孔２０ａ、貫通孔１９ｃ、連通凹部１７ｂ、貫通孔１９ｂ、連通孔２０ｂを経て、吐水流路１２へ供給され、吐出口２ｄから原水が吐出される。
また、弁部２６により、給水流路１１と浄水用水導水管８との間で、切換流路１３は分断されているので、給水流路１１からの原水が、浄化用水導水管８側へは供給されない。したがって、このとき（切換弁１５を原水位置Ｐとしたとき）、吐出流路１２に浄水が供給されることはない。
【００２４】
複合単水栓２における浄水吐出時について、図１０（ｄ）、図６を用いて説明する。
図１０（ｄ）に示される弁部２６は、切換操作レバー２ｂを止水位置Ｎより９０度上方に回動して、切換弁１５を浄水位置Ｃとした浄水吐出時における状態のものである。
このとき、貫通孔１７ａは、軸方向Ａより見て、貫通孔１９ａと完全に重複し、他の貫通孔１９ｂ・１９ｃとは重複しない状態となる。このため、貫通孔１７ａの部位で弁部２６が開放されて、給水流路１１と浄化用水導水管８との連通が実現されている。
したがって、図６に示すように、切換弁１５を浄水位置Ｃとした状態では、給水流路１１と浄化用水導水管８との連通が、連通孔２０ａ、貫通孔１９ａ、貫通孔１７ａ、切欠部２５ａを経て、浄化用水導水管８へと供給される。浄化用水導水管８を流れる原水は、浄水器６で浄化されて浄水となり、該浄水は、浄水用導水管４を経て吐出流路１２へ供給され、吐出口２ｄから原水が吐出される。
また、連通凹部１７ｂが貫通孔１９ｃとのみ重複しているが、連通凹部１７ｂは可動プレート１７を貫通する孔ではないので、この部位では弁部２６は閉じられている。また、連通凹部１７ｂが固定プレート１９に形成される貫通孔の二つと同時に重複しているわけでもないので、連通孔２０ａ・２０ｂ間の連通も遮断されている。したがって、このとき（切換弁１５を浄水位置Ｃとしたとき）、吐出流路１２に原水が供給されることはない。
【００２５】
また、図１０（ｃ）に示される弁部２６は、切換操作レバー２ｂを止水位置Ｎより６０度上方に回動した状態のものであるが、この状態も複合単水栓２による浄水吐出時となっている。
このとき、貫通孔１７ａは、軸方向Ａより見て、貫通孔１９ａと部分的に重複し、他の貫通孔１９ｂ・１９ｃとは重複しない状態となる。このため、貫通孔１７ａの部位で弁部２６が開放されて、給水流路１１と浄化用水導水管８との連通が実現されている。
また、連通凹部１７ｂが貫通孔１９ｃとのみ重複しているが、連通凹部１７ｂは可動プレート１７を貫通する孔ではないので、この部位では弁部２６は閉じられている。
つまり、切換操作レバー２ｂを止水位置Ｎより９０度上方に回動させた浄水位置Ｃとした場合に比して、弁部２６の開口量が小さいものとなっており、浄水の吐出速度が低いものとなっている。通常使用における浄水吐出は、切換操作レバー２ｂを浄水位置Ｃとして行われるものである。
【００２６】
以上において、複合単水栓２は、原水と浄水とを一体の水栓から吐出可能とし、原水の吐水、浄水の吐水、及び、止水を、単独の切換装置により切換可能に構成したものとなっている。
この単独の切換装置は、水栓本体２ａに固設される第一弁体（固定プレート１９）と、操作手段（切換操作レバー２ｂ）により位置変化（回動）される第二弁体（可動プレート１７）とを備え、両弁体を水密性を保つように接触させて構成されるものとなっている。
この水密性の確保は、具体的には、弁軸受け２１により固定プレート１９および可動プレート１７を囲うことで実現される。
第一弁体（固定プレート１９）には、該第一弁体を貫通する貫通孔１９ａ・１９ｂ・１９ｃが形成され、第二弁体（可動プレート１７）には、該第二弁体を貫通する貫通孔１７ａと、貫通しない連通凹部１７ｂとが形成されている。そして、両弁体間の貫通孔および連通凹部の重複を利用して、水路を切換える弁としての弁部２６が構成されている。
【００２７】
また、前記切換装置の切換操作は、該切換装置に付設される単独の操作手段としての切換操作レバー２ｂの位置変化により行う構成としている。切換操作レバー２ｂは、前記第二弁体（可動プレート１７）を固設する切換弁軸２５に固設されるものである。
そして、図２に示すように、該位置変化の範囲を、止水位置Ｎと浄水位置Ｃとを両端とする範囲とすると共に、止水位置Ｎと浄水位置Ｃとの間に原水位置Ｐを配置している。
【００２８】
以上構成により、第一に、浄水を吐出する開栓時には、止水→原水吐出→浄水吐出となって、必ず原水が吐出される。第二に、浄水を吐出した後の閉栓時には、浄水吐出→原水吐出→止水となって、必ず原水が吐出される。
このため、浄水を吐出した際には、閉栓時に、必然的に原水が吐出された後に閉栓されることとなる。したがって、塩素含有の原水（水道水）が吐出部２ｄに残留することで、塩素を除去した浄水の利用時においても、雑菌の繁殖防止を図ることができる。
【００２９】
特に、複合単水栓２においては、切換装置を操作する単独の操作手段を、回動式のレバーである切換操作レバー２ｂとしているが、この構成に限定されるものではない。
切換装置の操作手段を、複数の操作手段（複数のスイッチ群など）で構成するのでなく、位置変化の範囲を、止水位置と浄水位置とを両端とする範囲とする構成であれば、他の構成であってもよい。
例えば、操作手段をスライド式のレバーとして、位置変化の範囲を直線経路とする構成であっても良い。
【００３０】
特に、本実施の形態では、操作手段としての切換操作レバー２ｂは、回動式のレバーで構成されている。切換操作レバー２ｂの回動中心は、切換弁軸２５の軸心となっている。
加えて、切換操作レバー２ｂの回動範囲は、３６０度より小さいものとなっている（本実施の形態では、９０度）。
【００３１】
このため、切換装置を回動式で切換可能とでき、コンパクトにすることができる。また、３６０度より小さな回動範囲とすることで、止水位置Ｎと浄水位置Ｃとの間の回動位置の変化に際して、必然的に原水位置Ｐを通過することになり、止水時に原水吐出させる構成を、容易に実現できる。
【００３２】
また、複合単水栓２内に形成される水路において、浄水の通過経路は、原水の通過経路と重複したものとなっている。以下、具体的に再整理する。
ここで、浄水の通過経路は、浄水器６、浄化用水導水管４、吐出流路１２、吐出パイプ２ｃを経て、吐出口２ｄへ至る経路となっている。特に、複合単水栓２内では、浄水の通過経路は、吐出流路１２、吐出パイプ２ｃを経て、吐出口２ｄへ至る経路である。
一方、原水の吐出経路は、原水を吐出する場合には、給水管からの原水（水道水）が、原水用導水管３、給水流路１１、切換流路１３、吐出流路１２、吐出パイプ２ｃを経て、吐出口２ｄへ至る経路となっている。浄水を吐出する場合においては、原水の吐出経路は、給水流路１１までは同じであり、切換流路１３で浄化用水導水管８を経て浄水器６へと至る経路となっている。
つまり、複合単水栓２内において、浄水の通過経路は、原水吐出時の原水の通過経路ともなっており、浄水の通過経路と、原水の通過経路の一部とを同一の経路としたものとなっている。
【００３３】
このため、複合単水栓２内で浄水のみが残留して雑菌が繁殖することが防止され、複合単水栓２を常時衛生的な状態に保持することができる。
【００３４】
【発明の効果】
請求項１記載の如く、原水と浄水とを一体の水栓から吐出可能とし、原水の吐水、浄水の吐水、及び、止水を、単独の切換装置により切換可能に構成した複合単水栓において、
切換装置の切換操作を、該切換装置に付設される単独の操作手段の位置変化により行う構成とし、該位置変化の範囲を止水位置と浄水位置とを両端とする範囲とすると共に、止水位置と浄水位置との間に原水位置を配置したので、
第一に、浄水を吐出する開栓時には、止水→原水吐出→浄水吐出となって、必ず原水が吐出される。第二に、浄水を吐出した後の閉栓時には、浄水吐出→原水吐出→止水となって、必ず原水が吐出される。
このため、浄水を吐出した際には、閉栓時に、必然的に原水が吐出された後に閉栓されることとなる。したがって、塩素含有の原水（水道水）が複合単水栓の吐出部に残留することで、塩素を除去した浄水の利用時においても、雑菌の繁殖防止を図ることができる。
【００３５】
請求項２記載の如く、操作手段を回動式のレバーで構成すると共に、該レバーの回動範囲を３６０度より小さくしたので、
切換装置を回動式で切換可能とでき、コンパクトにすることができる。また、３６０度より小さな回動範囲とすることで、止水位置と浄水位置との間の回動位置の変化に際して、必然的に原水位置を通過することになり、止水時に原水吐出させる構成を、容易に実現できる。
【００３６】
請求項３記載の如く、複合単水栓内に形成される水路において、浄水の通過経路と、原水の通過経路の一部とを同一の経路としたので、
複合単水栓内で浄水のみが残留して雑菌が繁殖することが防止され、複合単水栓を常時衛生的な状態に保持することができる。
【図面の簡単な説明】
【図１】複合単水栓３２およびそれに接続される導水管を示す正面図である。
【図２】切換操作レバーｂ側より見た複合単水栓３２を示す側面図である。
【図３】複合単水栓３２を示す底面図である。
【図４】複合単水栓３２の正面断面図である。
【図５】複合単水栓３２の側面断面図である。
【図６】原水吐出時における切換弁４５の切換状態を示す図であり、特に（ａ）図は複合単水栓３２の平面断面図、（ｂ）図は弁部２６の開閉状態を軸方向Ａより見た図である。
【図７】可動プレート１７を切換弁１５の軸方向Ａより見た図である。
【図８】固定プレート１９を切換弁１５の軸方向Ａより見た図である。
【図９】パッキン２３を切換弁１５の軸方向Ａより見た図である。
【図１０】弁部２６の開閉状態を軸方向Ａより見た図であり、特に（ａ）図は止水時、（ｂ）図は原水吐出時、（ｃ）図および（ｄ）図は浄水吐出時を示す図である。
【図１１】止水時における切換弁４５の切換状態を示す図であり、特に（ａ）図は複合単水栓３２の平面断面図、（ｂ）図は弁部２６の開閉状態を軸方向Ａより見た図である。
【図１２】水吐出時における切換弁４５の切換状態を示す図であり、特に（ａ）図は複合単水栓３２の平面断面図、（ｂ）図は弁部２６の開閉状態を軸方向Ａより見た図である。
【符号の説明】
２  複合単水栓
２ｂ  切換操作レバー
１１  給水流路
１２  吐出流路
１５  切換弁
１７  可動プレート
１９  固定プレート
２６  弁部
Ｎ  止水位置
Ｐ  原水位置
Ｃ  浄水位置
【図１】
2004278670.tif 000003
【図２】
2004278670.tif 000004
【図３】
2004278670.tif 000005
【図４】
2004278670.tif 000006
【図５】
2004278670.tif 000007
【図６】
2004278670.tif 000008
【図７】
2004278670.tif 000009
【図８】
2004278670.tif 000010
【図９】
2004278670.tif 000011
【図１０】
2004278670.tif 000012
【図１１】
2004278670.tif 000013
【図１２】
2004278670.tif 000014